(57)【要約】【課題】  埋設管に多くの情報を記録でき、地中に埋設された埋設管の場所を容易に特定することができるとともに、埋設管の発掘をせずとも埋設管の情報を読み取り可能とした埋設管情報の読取装置を提供すること。【解決手段】  ＲＦＩＤタグ７が取り付けられた地中２２の埋設管３と、該埋設管３のＲＦＩＤタグ７を地上より検出する読取装置１とから成り、前記ＲＦＩＤタグ７には埋設管情報が記憶され、前記読取装置１には前記ＲＦＩＤタグ７の検出及び情報を読み取るためのＲＦＩＤアンテナ５を備えることで、埋設管３に取り付けられたＲＦＩＤタグ７の検出を地上２１より行うことができ、埋設された埋設管３の発掘作業をすることなく、埋設管３の埋設場所を容易に特定できるとともに、ＲＦＩＤタグ７に記憶される多くの情報をＲＦＩＤアンテナ５で読み取ることができる。【選択図】  図１
2005181111.tif 000002
【特許請求の範囲】
【請求項１】
ＲＦＩＤタグが取り付けられた地中の埋設管と、該埋設管のＲＦＩＤタグを地上より検出する読取装置とから成り、前記ＲＦＩＤタグには埋設管情報が記憶され、前記読取装置には前記ＲＦＩＤタグの検出及び情報を読み取るためのＲＦＩＤアンテナを備えていることを特徴とする埋設管情報の読取装置。
【請求項２】
前記読取装置は、表示部を有する情報端末を備え、ＲＦＩＤアンテナと通信可能に接続されている請求項１に記載の埋設管情報の読取装置。
【請求項３】
前記ＲＦＩＤタグに記憶される情報として、少なくとも所定のＲＦＩＤタグの隣りに位置する別のＲＦＩＤタグとの距離情報が記録されている請求項１または２に記載の埋設管情報の読取装置。
【請求項４】
前記ＲＦＩＤタグに記憶される情報として、少なくとも所定のＲＦＩＤタグの隣りに位置する別のＲＦＩＤタグの埋設方向が記録されている請求項１乃至３のいずれかに記載の埋設管情報の読取装置。
【請求項５】
前記ＲＦＩＤタグは、少なくとも２つのＲＦＩＤタグが対を構成するように互いに近距離に配置されている請求項１乃至３のいずれかに記載の埋設管情報の読取装置。
【請求項６】
前記ＲＦＩＤタグが金属で構成された埋設管から発せられる電磁波とは位相の異なる電磁波を発生するようになっている請求項１乃至５のいずれかに記載の埋設管情報の読取装置。
【請求項７】
前記ＲＦＩＤタグの情報に埋設管の形状を特定可能な型番が記憶されている請求項１乃至６のいずれかに記載の埋設管情報の読取装置。
【発明の詳細な説明】
【技術分野】
【０００１】
本発明は、地中に埋設された埋設管情報を地上から検出可能にした埋設管情報の読取装置に関する。
【背景技術】
【０００２】
従来、地中に埋設される水道管やガス管、電気線、光ファイバーの保護管等の埋設管には、鉄等の金属やプラスチック等の非鉄金属などが使用され多様な管が形成されている。これらの埋設管は、例えば家屋等の所定の箇所に接続されて地中に埋設されている。この埋設管の埋設場所は時の経過とともに、例えば地上の区画整理や他の工事により地形が変化し、当時の埋設管の埋設場所を示す地図を参考にしても、埋設場所を容易に特定できなくなることがあった。
【０００３】
そこで、近年では金属からなる導電性シートの表面に情報（例えば、施工日や施工業者名）が印字された通電層を有し、裏面に粘着層を有する探知テープを管の表面に貼付した後、管の埋設を行い配管を行っていた。つまり、このようにすることで、地上より従来公知の金属探知機を用いて探知テープの導電性シートが探知でき、埋設管の場所が特定できる。そして埋設管を発掘することで、探知テープの通電層に印字された情報を閲覧でき埋設状態を把握することができた（例えば、特許文献１参照）。
【０００４】
【特許文献１】特開平９−３２５１８７号公報（段落０００７，段落００１９−００２０、第１図）
【発明の開示】
【発明が解決しようとする課題】
【０００５】
しかしながら、特許文献１にあっては、金属探知機により埋設管の場所が特定できても、実際に埋設管を発掘しなければ、通電層に印字された情報を読み取ることはできず、埋設管の発掘作業に手間や費用がかかり、頻繁に行うことは困難であった。また、通電層の印字面積には限界があり、多くの情報を印字して記録しておくことは困難であった。
【０００６】
本発明は、このような問題点に着目してなされたもので、埋設管に多くの情報を記録でき、地中に埋設された埋設管の場所を容易に特定することができるとともに、埋設管の発掘をせずとも埋設管の情報を読み取り可能とした埋設管情報の読取装置を提供することを目的とする。
【課題を解決するための手段】
【０００７】
上記課題を解決するために、本発明の請求項１に記載の埋設管情報の読取装置は、ＲＦＩＤタグが取り付けられた地中の埋設管と、該埋設管のＲＦＩＤタグを地上より検出する読取装置とから成り、前記ＲＦＩＤタグには埋設管情報が記憶され、前記読取装置には前記ＲＦＩＤタグの検出及び情報を読み取るためのＲＦＩＤアンテナを備えていることを特徴としている。
この特徴によれば、読取装置のＲＦＩＤアンテナでＲＦＩＤタグの検出を行うことができるので、埋設管の発掘作業をすることなく埋設管の埋設場所を容易に特定できるとともに、ＲＦＩＤタグに記憶される多くの情報をＲＦＩＤアンテナで読み取ることができる。
【０００８】
本発明の請求項２に記載の埋設管情報の読取装置は、請求項１に記載の埋設管情報の読取装置であって、前記読取装置は、表示部を有する情報端末を備え、ＲＦＩＤアンテナと通信可能に接続されていることを特徴としている。
この特徴によれば、ＲＦＩＤアンテナで読み取られたＲＦＩＤタグの埋設管情報が情報端末の表示部に表示されることで、その場でリアルタイムに埋設管情報を閲覧することができるとともに、埋設管情報を確認しながら他のＲＦＩＤタグの検出及び情報の読取作業を的確に行うことができる。
【０００９】
本発明の請求項３に記載の埋設管情報の読取装置は、請求項１または２に記載の埋設管情報の読取装置であって、前記ＲＦＩＤタグに記憶される情報として、少なくとも所定のＲＦＩＤタグの隣りに位置する別のＲＦＩＤタグとの距離情報が記録されていることを特徴としている。
この特徴によれば、１つのＲＦＩＤタグに記憶される情報の読み取りによって、検出されたＲＦＩＤタグから隣り合うＲＦＩＤタグまでの距離範囲を特定できることから、近隣のＲＦＩＤタグの検出時間が短縮され、埋設管の埋設状況を容易に把握できる。
【００１０】
本発明の請求項４に記載の埋設管情報の読取装置は、請求項１乃至３のいずれかに記載の埋設管情報の読取装置であって、前記ＲＦＩＤタグに記憶される情報として、少なくとも所定のＲＦＩＤタグの隣りに位置する別のＲＦＩＤタグの埋設方向が記録されていることを特徴としている。
この特徴によれば、１つのＲＦＩＤタグに記憶される情報の読み取りによって、検出されたＲＦＩＤタグと隣り合うＲＦＩＤタグの位置特定を方向情報によって容易に検出できるため、埋設管の埋設方向を把握できる。
【００１１】
本発明の請求項５に記載の埋設管情報の読取装置は、請求項１乃至３のいずれかに記載の埋設管情報の読取装置であって、前記ＲＦＩＤタグは、少なくとも２つのＲＦＩＤタグが対を構成するように互いに近距離に配置されていることを特徴としている。
この特徴によれば、ＲＦＩＤタグと近距離に配置されるＲＦＩＤタグの少なくとも２つをＲＦＩＤアンテナで検出することにより、これらＲＦＩＤタグの２点情報で埋設管の埋設方向を把握できる。
【００１２】
本発明の請求項６に記載の埋設管情報の読取装置は、請求項１乃至５のいずれかに記載の埋設管情報の読取装置であって、前記ＲＦＩＤタグが金属で構成された埋設管から発せられる電磁波とは位相の異なる電磁波を発生するようになっていることを特徴としている。
この特徴によれば、埋設管が金属によって構成されていても、金属対応ＲＦＩＤタグが取り付けられていれば、ＲＦＩＤアンテナから発せられる電磁波が金属である埋設管によって影響を受けることを確実に防止でき、ＲＦＩＤタグに記憶される情報をＲＦＩＤアンテナから正確に読み取らせることが可能となる。
【００１３】
本発明の請求項７に記載の埋設管情報の読取装置は、請求項１乃至６のいずれかに記載の埋設管情報の読取装置であって、前記ＲＦＩＤタグの情報に埋設管の形状を特定可能な型番が記憶されていることを特徴としている。
この特徴によれば、例えば埋設管の調査員が読取装置を用いて地上からＲＦＩＤタグの型番情報の読み取りを行うことで、埋設管の発掘作業を行わなくとも型番情報から同型の管を事前に用意しておくことができ、埋設管の交換に関わる作業の大幅な短縮が可能となる。
【発明を実施するための最良の形態】
【００１４】
本発明の実施例を以下に説明する。
【実施例１】
【００１５】
図1は、本発明の実施例１としての読取装置と埋設管の全体像を示す斜視図であり、図２は、読取装置とＲＦＩＤタグの構成を示すブロック図であり、図３は、図１のＡ−Ａ線の埋設管の一部破断面図とＲＦＩＤタグシールの要部拡大断面図を示す図であり、図４は、情報端末を示す正面図であり、図５の（ａ）と（ｂ）は、情報端末の表示部に表示される情報画面を示す正面図である。
【００１６】
図１に示されるように、地中２２には水道管３が配設されており、この水道管３の所定箇所にはＲＦＩＤタグ７が取り付けられている。ＲＦＩＤ（Ｒａｄｉｏ  Ｆｒｅｑｕｅｎｃｙ  ＩＤｅｎｔｉｆｉｃａｔｉｏｎ、無線による識別）タグとは、後述において詳述する記憶部と制御部からなるＩＣチップ（図示略）と、このＩＣチップの記憶部に記憶された埋設管情報を送受信可能なアンテナ部（図示略）と、から構成されていて、この埋設管情報を地上２１より読み取る機器である読取装置１が用いられる。
【００１７】
読取装置１は、地上２１よりＲＦＩＤタグ７の検出及び情報を読み取るためのＲＦＩＤアンテナ５と、電源供給装置を含む中継装置４と、情報端末１０（本実施例では表示部を備えた携帯情報端末であるＰＤＡ）と、から主に構成されている。
【００１８】
これらＲＦＩＤアンテナ５と中継装置４と情報端末１０は、電力を供給する電源コード（図示略）や各種データを送受信可能な通信コード（図示略）を含む通信ケーブル２を介して接続されている。なお、中継装置４にはＲＦＩＤアンテナ５によって読み取られた情報を情報端末１０で受信できるようにデータの変換を行うコンバータ機能を備えている（以下の実施例において中継装置４の説明は省略する）。
【００１９】
図２に示されるように、情報端末１０は、所定の手順で演算を行うＣＰＵ、ＣＰＵの制御プログラムや各種データテーブル等を格納するＲＯＭや、必要なデータの書き込み及び読み出しを行うＲＡＭを備える制御部１１と、通信ケーブル２を介して後述するＲＦＩＤアンテナ５に接続される通信部１３と、後述する画面（図５、図７参照）に基づいて利用者からの入力を受付可能な操作部１５を備えた操作部１５と、ＲＦＩＤタグ７の埋設管情報１４ａと制御部１１の各種プログラム１４ｂを記憶する記憶部１４と、記憶部１４に記憶される埋設管情報１４ａや通信部１３に受信された情報もしくは操作部１５を介して入力されたデータ等の表示を行う表示部１６と、から構成されている。
【００２０】
制御部１１では、通信部１３もしくは操作部１５を介して送受信した各種データに応じた各種の制御を行えるようになっており、通信部１３に受信される情報を記憶部１４に記憶させる制御や、記憶部１４に記憶される埋設管情報１４ａや通信部１３に受信された情報を表示部１６に表示させる制御や、操作部１５の操作に基づき通信部１３、記憶部１４、表示部１６の制御を行うようになっている。
【００２１】
ＲＦＩＤアンテナ５は、情報端末１０の通信部１３と通信するための通信部５ｃと、埋設管３に取り付けられたＲＦＩＤタグ７と無線通信するためのアンテナ部５ｂと、これら通信部５ｃとアンテナ部５ｂを制御する制御部５ａと、から構成されている。
【００２２】
ＲＦＩＤタグ７は、埋設管情報を記録する記憶部７ｄと、ＲＦＩＤアンテナ５のアンテナ部５ｂと無線通信するためのアンテナ部７ｂと、これらを制御する制御部７ａと、から構成される。
【００２３】
図３に示されるように、ＲＦＩＤタグ７を防水や腐蝕や傷等による故障の発生から未然に防ぐために、ＲＦＩＤタグ７の外周がプラスチック等の合成樹脂からなるＲＦＩＤアンテナ保護膜８によって被膜されている。水道管表面に当接するＲＦＩＤタグ７の下面には防水性と耐久性に優れた粘着材９が塗布され、水道管３の表面に堅固に取り付けられる。
【００２４】
なお、ＲＦＩＤタグ７の水道管表面への取り付け方法については、他にも例えば、表面に管の埋設日である施工日等が印字された防水性の有するビニール製の明示テープを水道管表面に載置されるＲＦＩＤタグ７の上面全体に被せるようにして水道管に貼付し、ＲＦＩＤタグ７を固定するようにしても良い。
【００２５】
なお、本実施例のＲＦＩＤタグ７は、金属対応ＲＦＩＤタグ７が用いられている。この金属対応ＲＦＩＤタグ７が水道管３に取り付けられることにより、ＲＦＩＤアンテナ５から発せられる電磁波によって、水道管３から電磁波が発生しても金属対応ＲＦＩＤタグ７から発せられる電磁波は水道管３から発せられる電磁波とは位相の異なる電磁波を発生するようになっているので、水道管３から発せられる電磁波から影響を受けることなく、ＲＦＩＤタグ７に記憶される情報をＲＦＩＤアンテナ５に正確に読み取らせることが可能となる。
【００２６】
以上の読取装置１とＲＦＩＤタグ７の説明から図１に示されるように、地中２２に埋設された水道管３に取り付けられるＲＦＩＤタグ７を読取装置１によって地上２１より検出可能になっており、図２に示されるように読取装置１のＲＦＩＤアンテナ５によってＲＦＩＤタグ７の記憶部７ｄに記憶される埋設管情報が読み取られ、通信ケーブル２を介して情報端末１０に埋設管情報が受信されるようになっている。そして、情報端末１０に埋設管情報が受信されると制御部１１内のＲＡＭに一時的に読み込まれることで、表示部１６に表示させることや記憶部１４に記憶されるようになっている。
【００２７】
そこで、読取装置１に読み取られた埋設管情報について図４、図５（ａ）（ｂ）を用いて詳細に説明する。
【００２８】
図５（ａ）に示されるように埋設管情報は、情報端末１０の表示部１６に全て表示可能となっており、水道管３の埋設管情報として、読取装置１に検出されたＲＦＩＤタグ７（本実施例では３番ＲＦＩＤタグ）の隣に位置する別のＲＦＩＤタグ（本実施例では４番・１番・２番ＲＦＩＤタグ）の識別番号に対応付けて、方角、距離、深度が表示される。
【００２９】
また、ＲＦＩＤタグ７が取り付けられた水道管３の形状を特定可能な埋設管の型番が表示されており、例えば水道管の調査員が読取装置１を用いて地上からＲＦＩＤタグ７の型番情報の読み取りを行うことで、埋設された水道管の発掘作業を行わなくとも型番情報から同型の管を事前に用意しておくことができ、管交換に関わる作業の大幅な短縮が可能となる。
【００３０】
図４に示されるように、情報端末１０の表示部１６には前記したＲＦＩＤタグ７の隣に位置する別のＲＦＩＤタグの情報（方角、距離、深度）から制御部１１内で演算され作成された埋設管地図が表示されるようになっており、読取装置１によって検出されたＲＦＩＤタグ７が点滅するようになっており、表示部１６に表示されるカーソルを操作部１５で操作して点滅するＲＦＩＤタグ７を選択することにより、前記した図５（ａ）に示される埋設管情報を再度表示する構成になっており、埋設管地図のボタンをカーソルで選択することで、再度図４の埋設管地図を表示する。
【００３１】
このように、読取装置１によって検出されるＲＦＩＤタグ７の隣りに位置する別のＲＦＩＤタグとの距離情報（距離）が記録されることで、検出されたＲＦＩＤタグ７から隣り合うＲＦＩＤタグまでの距離範囲を特定できることから、近隣のＲＦＩＤタグの検出時間が短縮され、水道管３の埋設状況を容易に把握できる。
【００３２】
そして、読取装置１によって検出されるＲＦＩＤタグ７の隣りに位置する別のＲＦＩＤタグとの埋設方向（方角）が記録されることで、検出されたＲＦＩＤタグ７と隣り合うＲＦＩＤタグの位置特定を方向情報によって容易に検出できるため、水道管３の埋設方向を把握できる。
【００３３】
以上の説明により実施例１では、読取装置１のＲＦＩＤアンテナ５でＲＦＩＤタグ７の検出を行うことができるので、埋設された水道管３の発掘作業をすることなく水道管３の埋設場所を容易に特定できるとともに、ＲＦＩＤタグ７に記憶される多くの情報をＲＦＩＤアンテナ５で読み取ることができる。
【００３４】
しかも、ＲＦＩＤアンテナ５で読み取られたＲＦＩＤタグ７の埋設管情報が情報端末１０の表示部１６に表示されることで、その場でリアルタイムに埋設管情報を閲覧することができるとともに、例えば、方位磁針計１７を利用して、表示部１６の埋設管の方角と比較しながら別のＲＦＩＤタグの検出及び情報の読取作業を的確に行うことができる。
【００３５】
また、ＲＦＩＤタグ７は多くの情報を記憶可能な記憶部７ｄ（図２参照）を備えていることから、図５（ｂ）に示されるように、施工日、施工業者、施工責任者、委託水道局、埋設管の製造日、製造メーカー、前述の埋設管の型番、製造番号、伝達事項、など埋設に関わる多種多様な埋設情報を記憶させることできるので、埋設当時の状況を細かく伝達可能になっている。
【００３６】
なお、上記した記憶部７ｄに記憶される各情報のほかにも、埋設管の材質や口径、公的機関などの検査機関で合格した旨（合格マーク）等の他情報を記憶するようにしても良いことは言うまでもない。
【００３７】
また、埋設管に取り付けた複数のＲＦＩＤタグ７の読取装置１による検出及び情報の収集により、図６に示されるように各ＲＦＩＤタグ７の検出に基づいて、読取装置１のＲＦＩＤアンテナ５から各ＲＦＩＤタグ７の深さを示す深度と、各ＲＦＩＤタグ７の隣り合う両者の距離との情報（図５（ａ）参照）が情報端末１０によって処理され、タイムリーに表示部１６に埋設管の深度図として反映され表示されるようになっている。
【実施例２】
【００３８】
次に、本発明の実施例２を図７、図８に基づき以下に説明する。なお、前述の実施例１と同様の構造部分に関しては、同一の符号を付すことにより詳細な説明は省略することにする。
【００３９】
実施例２における水道管３の埋設管状況は、図８に示されるように点線で示され、前記実施例１と同様に水道管３の所定箇所に複数のＲＦＩＤタグ７（Ａ１、Ｃ１、Ｂ１）が離間して取り付けられている。前記実施例１との若干の相異点としては、ＲＦＩＤタグ（Ａ１、Ｃ１、Ｂ１）の近距離にそれぞれ別のＲＦＩＤタグ７（Ａ１の近距離にＡ３、Ａ５）（Ｃ１の近距離にＣ２、Ｃ３、Ｃ４、Ｃ５）（Ｂ１の近距離にＢ２、Ｂ３、Ｂ４）が対を構成するように配置されている。そこで、地上２１からのＲＦＩＤタグの検出に基づく水道管３の埋設状況の把握方法について説明する。
【００４０】
まず、読取装置１によってＲＦＩＤタグＡ１が検出され埋設管情報が読み取られると、図７（ａ）に示されるように、情報端末１０の表示部１６にＲＦＩＤタグＡ１から隣りに位置する別のＲＦＩＤタグ（Ａ３、Ａ５）との距離情報（例えば１ｍ）が表示される。このＲＦＩＤタグＡ１検出に対応する地上２１の位置にマーキングを行う。
【００４１】
次に、距離情報（１ｍ）に基づきＲＦＩＤタグＡ１から半径１ｍの距離範囲で検出が行われると、ＲＦＩＤタグＡ３、Ａ５が検出されるので、この検出位置にマーキングを行う。ＲＦＩＤタグＡ３の検出の際には図７（ｂ）に示されるように、隣りに位置する別のＲＦＩＤタグ（Ａ１、Ｃ５）との距離情報（例えば１ｍ、例えば１０ｍ）が表示される。
【００４２】
つづいて、ＲＦＩＤタグＣ５の検出を行うには、まず前記したＲＦＩＤタグＡ１のマーキングと、近距離に位置するＲＦＩＤタグＡ３のマーキングを連結することで、水道管３の埋設方向の把握し、ＲＦＩＤタグＡ３のマーキングから埋設方向の１０ｍの距離においてＲＦＩＤタグＣ５の検出が行えるようになっている。
【００４３】
さらに、ＲＦＩＤタグＣ５の検出に基づき、図７（ｃ）に示されるように、隣りに位置する別のＲＦＩＤタグ（Ａ３、Ｃ１）との距離情報（例えば１０ｍ、例えば１ｍ）が表示されるようになっている。
【００４４】
このように、ＲＦＩＤタグの隣りに位置する別のＲＦＩＤタグとの距離情報と、ＲＦＩＤタグと隣りに位置する別のＲＦＩＤタグの埋設位置のマーキングによる水道管３の埋設方向の把握によって、残りのＲＦＩＤタグ（Ｃ１、Ｃ２、Ｃ３、Ｃ４、Ｃ５、Ｂ４、Ｂ１、Ｂ２、Ｂ３）についても同様に検出することができる（図７（ｄ）〜（ｇ）参照）。これらＲＦＩＤタグの埋設位置のマーキングを連結することで、水道管３の発掘作業をすることなく、地上２１から水道管３の配管状態を確認することができる。
【００４５】
以上の説明により実施例２では、少なくとも２つのＲＦＩＤタグが対を構成するように互いに近距離に配置されることから、ＲＦＩＤタグ７と近距離に配置されるＲＦＩＤタグの少なくとも２つをＲＦＩＤアンテナ５で検出することにより、これらＲＦＩＤタグ７の２点情報で埋設管である水道管３の埋設方向を把握できる。
【００４６】
また、読取装置１によって検出されるＲＦＩＤタグ７の隣りに位置する別のＲＦＩＤタグとの距離情報（距離）が記録されることで、検出されたＲＦＩＤタグ７から隣り合うＲＦＩＤタグまでの距離範囲を特定できることから、近隣のＲＦＩＤタグの検出時間が短縮され、水道管３の埋設状況を容易に把握できる。
【００４７】
以上、本発明の実施例を図面により説明してきたが、具体的な構成はこれら実施例に限られるものではなく、本発明の要旨を逸脱しない範囲における変更や追加があっても本発明に含まれ、例えば上記実施例では、埋設管に相当する管として水道管３が用いられるが、埋設管に相当する管として下水道管、ガス管、電気管、各種ケーブルの保護管等に適用できることは言うまでもなく、本発明は水道管３に限定されるものではない。
【００４８】
また、上記実施例では、地中に埋設された埋設管に貼付されるＲＦＩＤタグ７の情報の検出を行っているが、本発明はこれに限定されるものではなく、コンクリート内に埋設される埋設管に予めＲＦＩＤタグ７を取り付けておくことで、コンクリートによって埋設管が流し固められた状態であっても、コンクリートを非破壊の状態で埋設管のＲＦＩＤタグ７の検出及び情報の読み取りが行える。
【００４９】
また、上記実施例では、地上より埋設管の検出及び情報の読み取りを行っているが、本発明はこれに限定されるものではなく、例えば、埋設管が川や海等の水中の地底内にＲＦＩＤタグ７が取り付けられた埋設管が埋設された場合にも、船上から防水加工されたＲＦＩＤアンテナ５を吊り下げることで、埋設管のＲＦＩＤタグ７の検出及び情報の読み取りが行える。
【００５０】
また、上記実施例では、金属から構成される水道管３からの電磁波によって、ＲＦＩＤタグ７とＲＦＩＤアンテナ５との電磁波の送受信に影響が生じることを防止するために金属対応のＲＦＩＤタグ７が用いられているが、本発明はこれに限定されるものではなく、プラスチックやセラミック等の非金属で構成された埋設管に対しては、従来から広く使用されている金属非対応のＲＦＩＤタグ７も使用可能である。
【００５１】
また、上記実施例１では方位磁針計１７を用いて方角を確認していたが、広く一般に普及している小型のＧＰＳ（全地球測位システム）を情報端末１０に接続することで、情報端末１０の表示部１６にＲＦＩＤタグ７の検出により構成される埋設管３の埋設地図と読取装置１の現在位置データを重ね合わせた状態でリアルタイムに表示させながら、別のＲＦＩＤタグ７の検出及び、情報の収集を行うことができる。
【００５２】
また、上記実施例の情報端末１０にカード型ＰＨＳ等の通信アンテナを備えることで、例えばＲＦＩＤタグ７の検出データをインターネット網を介して、管理コンピュータに送信し、管理コンピュータ内で情報を蓄積することで、全国の埋設管のデータベースの構築を行うことができ、インターネット網に接続された情報端末１０や各種端末から埋設管のデータベースを閲覧可能に情報の共有を行うことも可能である。
【図面の簡単な説明】
【００５３】
【図１】本発明の実施例１における読取装置と埋設管の全体像を示す斜視図である。
【図２】読取装置とＲＦＩＤタグの構成を示すブロック図である。
【図３】図１のＡ−Ａ線の埋設管の一部破断面図とＲＦＩＤタグシールの要部拡大断面図を示す図である。
【図４】表示部を備えた情報端末を示す正面図である。
【図５】（ａ）と（ｂ）は、情報端末の表示部に表示される情報を示す正面図である。
【図６】情報端末の表示部に表示される埋設管の深度情報を示す正面図である。
【図７】（ａ）ないし（ｇ）は、本発明の実施例２における埋設管のＲＦＩＤタグの検出時に情報端末の表示部に表示される情報を示す正面図である。
【図８】図７のＲＦＩＤタグ情報の読み取りにより構成される埋設管の平面概念図である。
【符号の説明】
【００５４】
１                読取装置
２                通信ケーブル
３                水道管（埋設管）
４                中継装置
５                ＲＦＩＤアンテナ
５ａ              制御部
５ｂ              アンテナ部
５ｃ              通信部
７                ＲＦＩＤタグ
７ａ              制御部
７ｂ              アンテナ部
７ｄ              記憶部
８                ＲＦＩＤアンテナ保護膜
９                粘着層
１０              情報端末
１１              制御部
１３              通信部
１４              記憶部
１４ａ            埋設管情報
１４ｂ            各種プログラム
１５              操作部
１６              表示部
１７              方位磁針計
２１              地上
２２              地中
Ａ１、Ａ２、Ａ３  ＲＦＩＤタグ
Ｂ１、Ｂ２、Ｂ３、Ｂ４  ＲＦＩＤタグ
Ｃ１、Ｃ２、Ｃ３、Ｃ４、Ｃ５  ＲＦＩＤタグ
【図１】
2005181111.tif 000003
【図２】
2005181111.tif 000004
【図３】
2005181111.tif 000005
【図４】
2005181111.tif 000006
【図５】
2005181111.tif 000007
【図６】
2005181111.tif 000008
【図７】
2005181111.tif 000009
【図８】
2005181111.tif 000010